(57)【要約】【課題】筐体の不正開封時のみ取得情報を消去する情報端末装置を提供する。【解決手段】裏側ケース１１ａおよび表側ケース１１ｂが締結用貫通孔４５ａを挿通するねじ６０等により締結されて筐体１１が構成され、この筐体１１内には、主制御回路２１、記憶装置２５や電池３０等が収容されている。また、主制御回路２１に所定の情報を入力するための複数の操作キー１２と、ねじ６０の締結状態または非締結状態をその抵抗値の変化で検知可能な導通部７０とが設けられている。そして、主制御回路２１への電力供給が開始されるとともに導通部７０の抵抗値に基づいて非締結状態が検知される場合であって、操作キー１２による開封用操作が実施されていない場合（フラグＦ＝０）には、記憶装置２５に記憶された取得情報が消去される。【選択図】図４
2010049320.tif 000002
【特許請求の範囲】
【請求項１】
取得した取得情報を制御するための制御手段と、
前記取得情報を記憶する記憶手段と、
前記制御手段に電力を供給する電源手段と、
第１ケースおよび第２ケースが締結部材による締結により構成されて前記制御手段と前記記憶手段と前記電源手段とを収容する筐体と、
前記制御手段に所定の情報を入力するための入力手段と、
を備える情報端末装置であって、
前記締結部材の締結状態または非締結状態を検知可能な検知手段を有し、
前記制御手段は、当該制御手段への電力供給が開始されるとともに前記検知手段により前記非締結状態が検知される場合であって、前記筐体の開封時に入力すべき入力情報が前記入力手段により入力されない場合には、前記記憶手段に記憶された前記取得情報の少なくとも一部を消去することを特徴とする情報端末装置。
【請求項２】
前記検知手段は、前記締結部材が締結される部位に塗布される導電性塗料と締結状態の前記締結部材とにより構成される導通部の抵抗値を検知することにより前記締結部材の締結状態または非締結状態を検知することを特徴とする請求項１に記載の情報端末装置。
【請求項３】
前記第１ケースおよび前記第２ケースのいずれか一方には前記電源手段を収容するための電源収容部が設けられており、
前記締結部材は、収容した前記電源手段に覆われる前記電源収容部の底壁または側壁に形成される締結用貫通孔を挿通して前記第１ケースおよび前記第２ケースを締結することを特徴とする請求項１または２に記載の情報端末装置。
【請求項４】
前記制御手段は、当該制御手段への電力供給が開始されるとともに前記検知手段により前記非締結状態が検知される場合であって、前記入力すべき入力情報が前記入力手段により入力されない場合、または、前記入力すべき入力情報が前記入力手段により入力された後に当該制御手段への電力供給が停止されない場合には、前記記憶手段に記憶された前記取得情報の少なくとも一部を消去することを特徴とする請求項１〜３のいずれか一項に記載の情報端末装置。
【請求項５】
使用者が前記入力すべき入力情報を予め設定可能な設定手段を備えることを特徴とする請求項１〜４のいずれか一項に記載の情報端末装置。
【発明の詳細な説明】
【技術分野】
【０００１】
本発明は、筐体の不正開封を検知し得る機能を有する情報端末装置に関するものである。
【背景技術】
【０００２】
従来より、筐体の不正開封を検知し得る機能を有する情報端末装置として、下記特許文献１に示す端末装置が知られている。この端末装置では、制御基板が固定される筐体上ケースと筐体下ケースとにより筐体が構成されている。制御基板の筐体下ケース側にはスイッチが設けられており、筐体下ケースの底壁には所定の配線パターンが設けられたプラスチックシートが貼り付けられている。そして、筐体上ケースと筐体下ケースとを組み付けると、制御基板のスイッチの端子と筐体下ケースの底壁の配線とが接続されて閉回路が構成される。
【０００３】
そして、不正開封のために筐体上ケースと筐体下ケースとが分離されると、スイッチの端子と配線との接続が断たれて上記閉回路が切断されるので、この閉回路の切断状態を検知することにより、不正開封を検知している。このように不正開封が検知されると、不正使用を防止するために記憶手段内のデータが消去される。
【特許文献１】特開２００１−２４２９５１号公報
【発明の開示】
【発明が解決しようとする課題】
【０００４】
しかしながら、上述のような構成では、不正開封時だけでなく、保守や修理のための正常時における正常開封の場合でも、記憶手段内のデータが消去されてしまう。そのため、正常開封時には、記憶手段内のデータを他の記憶手段等にバックアップしなければならないという問題がある。
【０００５】
本発明は、上述した課題を解決するためになされたものであり、その目的とするところは、筐体の不正開封時のみ取得情報を消去する情報端末装置を提供することにある。
【課題を解決するための手段】
【０００６】
上記目的を達成するため、特許請求の範囲に記載の請求項１の情報端末装置では、取得した取得情報を制御するための制御手段（２１）と、前記取得情報を記憶する記憶手段（２５）と、前記制御手段に電力を供給する電源手段（３０）と、第１ケース（１１ａ）および第２ケース（１１ｂ）が締結部材（６０）による締結により構成されて前記制御手段と前記記憶手段と前記電源手段とを収容する筐体（１１）と、前記制御手段に所定の情報を入力するための入力手段（１２）と、を備える情報端末装置（１０）であって、前記締結部材の締結状態または非締結状態を検知可能な検知手段（２１，２２，７０）を有し、前記制御手段は、前記制御手段への電力供給が開始されるとともに前記検知手段により前記非締結状態が検知される場合であって、前記筐体の開封時に入力すべき入力情報が前記入力手段により入力されない場合には、前記記憶手段に記憶された前記取得情報の少なくとも一部を消去することを技術的特徴とする。
【発明の効果】
【０００７】
請求項１の発明では、第１ケースおよび第２ケースが締結部材により締結されて筐体が構成され、この筐体内には、制御手段と記憶手段と電源手段とが収容されている。また、制御手段に所定の情報を入力するための入力手段と、締結部材の締結状態または非締結状態を検知可能な検知手段とが設けられている。そして、制御手段は、当該制御手段への電力供給が開始されるとともに検知手段により非締結状態が検知される場合であって、筐体の開封時に入力すべき入力情報が入力手段により入力されない場合には、記憶手段に記憶された取得情報の少なくとも一部を消去する。
【０００８】
第１ケースおよび第２ケースを組み付けて構成される筐体を開封する場合には、正常開封および不正開封のどちらの開封であっても、開封者が電源手段による制御手段への電力供給を停止した後、第１ケースおよび第２ケースを分離するために締結部材が取り外された非締結状態になる。
【０００９】
そこで、検知手段により、締結部材の締結状態または非締結状態を、例えば、締結部材とこの締結部材が締結される部位である被締結部材とで構成される導通部の導通状態に応じて、検知する。これにより、制御手段に再度電力供給が開始されて非締結状態が検知される場合には、筐体が開封されたことを認識することができる。この場合、正常な筐体の開封時に入力すべき入力情報、例えば、所定のキー操作が、使用者の操作に応じて入力手段により制御手段に入力されるか否かを判定することにより、正常開封か不正開封かを判定することができる。すなわち、非締結状態が検知される場合であって上記入力すべき入力情報が入力されない場合には、筐体の不正開封であるから、記憶手段に記憶される取得情報の少なくとも一部が消去される。
したがって、筐体の正常開封時には記憶手段に記憶される取得情報が消去されず、筐体の不正開封時のみ取得情報を消去することができる。
【００１０】
請求項２の発明では、検知手段は、締結部材が締結される部位に塗布される導電性塗料と締結状態の締結部材とにより構成される導通部の抵抗値を検知することにより、締結部材の締結状態または非締結状態を検知する。導通部は、締結部材が締結状態である場合と締結部材が非締結である場合とでその抵抗値が変化するので、導通部の抵抗値を検知することにより、締結部材の締結状態または非締結状態を確実に検知することができる。
【００１１】
請求項３の発明では、第１ケースおよび第２ケースのいずれか一方には電源手段を収容するための電源収容部が設けられている。そして、締結部材は、収容した電源手段に覆われる電源収容部の底壁または側壁に形成される締結用貫通孔を挿通して第１ケースおよび第２ケースを締結する。
【００１２】
筐体を開封する目的で第１ケースおよび第２ケースを分離するためには、締結用貫通孔を挿通して締結される締結部材を取り除く必要がある。この締結部材を取り除くためには電源手段を電池収容部から取り出す必要があり、この取り出し作業により電源手段による制御手段への電力の供給が停止されることとなる。このため、筐体を開封する場合には、制御手段への電力の供給を確実に停止することができる。
【００１３】
請求項４の発明では、制御手段は、当該制御手段への電力供給が開始されるとともに検知手段により非締結状態が検知される場合であって、上記入力すべき入力情報が入力手段により入力されない場合、または、上記入力すべき入力情報が入力手段により入力された後に当該制御手段への電力供給が停止されない場合には、記憶手段に記憶された取得情報の少なくとも一部を消去する。
【００１４】
これにより、不正開封時に入力すべき入力情報が偶然に入力された場合であっても、電源手段を取り外す等の作業を行なうことにより当該制御手段への電力供給が停止されない場合には、記憶手段に記憶された取得情報の少なくとも一部が消去される。したがって、筐体の不正開封時には確実に取得情報を消去することができる。
【００１５】
請求項５の発明では、使用者が上記入力すべき入力情報を予め設定可能な設定手段が設けられている。これにより、使用者が所望する入力情報、例えば、所定のキー操作を設定することができるので、正常開封時における上記入力すべき入力情報の入力作業を良好に行なうことができる。また、上記入力すべき入力情報に秘匿性を持たせることができる。
【発明を実施するための最良の形態】
【００１６】
［第１実施形態］
以下、本発明の情報端末装置をバーコードリーダに適用した第１実施形態について図を参照して説明する。まず、本第１実施形態に係るバーコードリーダ１０の構成概要を図１〜図３に基づいて説明する。図１は、本第１実施形態に係るバーコードリーダ１０の構成概要を示す図であり、図１（Ａ）は背面図、図１（Ｂ）は一部断面で示す側面図である。図２は、締結用貫通孔４５ａを挿通したねじ６０が被締結部１３に締結される締結状態の導通部７０を示す説明図である。図３は、バーコードリーダ１０の不正開封検知処理に関する電気的構成を示すブロック図である。
【００１７】
図１（Ａ），（Ｂ）に示すように、バーコードリーダ１０は、裏側ケース１１ａおよび表側ケース１１ｂからなる筐体１１内に制御基板２０等の各種電気部品と、各種電気部品の電源として機能する電池３０とが収容されるように構成されている。この筐体１１内の電気的構成は、公知のコードリーダ（バーコードリーダ、二次元コードリーダ等）とほぼ同様の構成とすることができる。なお、電池３０は、例えば、リチウムイオン電池、ニッケル水素電池、ニッケルカドミウム電池等の充放電可能な二次電池や、マンガン乾電池、アルカリ乾電池等の一次電池によって構成されている。
【００１８】
表側ケース１１ｂの内面側には、制御基板２０が固定されており、この制御基板２０の電池側端部には、電池３０からの電力が供給されるための基板側コネクタ２４が設けられている。また、表側ケース１１ｂの表面には、複数の操作キー１２が配置されており、各操作キー１２を操作することにより、この操作に応じた所定の情報が制御基板２０の主制御回路２１に入力される。
【００１９】
裏側ケース１１ａには、電池３０を収容可能な電池収容部４０が形成されている。電池収容部４０は、図１（Ａ），（Ｂ）に示すように、一方が開口する箱状形態をなしており、電池３０の四方を取り囲む側壁４１、４２、４３、４４と、電池３０の一方面を支持する底壁４５とを備えている。また、側壁４１には、電池収容部４０に収容された電池３０の電源ケーブル３１に対して底壁４５側から近接するように半円状に形成される切欠部４１ａが設けられている。また、電池収容部４０の開口部は、裏側ケース１１ａに対して着脱可能に形成された電池蓋５０によって閉塞され得る構成となっている。
【００２０】
図１（Ａ），（Ｂ）に示すように、収容した電池３０に覆われる電池収容部４０の底壁４５には、２つの締結用貫通孔４５ａが形成されている。電池収容部４０の底壁４５が両締結用貫通孔４５ａを挿通する金属製のねじ６０により表側ケース１１ｂの被締結部１３に締結されるとともに、裏側ケース１１ａおよび表側ケース１１ｂのそれぞれの所定の締結部が図略のねじ等により締結されることにより、裏側ケース１１ａおよび表側ケース１１ｂが組み付けられて筐体１１が構成される。
【００２１】
図１（Ｂ）および図２から判るように、両締結用貫通孔４５ａのいずれか一方に近接する被締結部１３の所定の部位には導電性塗料が塗布されており、この塗布部位１３ａと締結用貫通孔４５ａを挿通して被締結部１３に締結されるねじ６０とにより所定の抵抗値（以下、締結時抵抗値Ｒともいう）を有する導通部７０が構成される。この導通部７０は、被締結部１３からねじ６０を取り外した非締結状態における抵抗値が締結状態における締結時抵抗値Ｒよりも大きくなるように構成されている。
【００２２】
裏側ケース１１ａと表側ケース１１ｂとを組み付けた後、電池収容部４０に電池３０を収容する際、電池３０の電源ケーブル３１の先端の電池側コネクタ３２と制御基板２０の基板側コネクタ２４とを電気的に接続する。これにより、電池３０から電源ケーブル３１および両コネクタ３２，２４を介して制御基板２０の主制御回路２１等に所定の電力が供給される。
【００２３】
上述のように構成されるバーコードリーダ１０では、筐体１１を開封する目的で裏側ケース１１ａおよび表側ケース１１ｂを分離するためには、電池収容部４０の底壁４５の両締結用貫通孔４５ａを挿通するねじ６０をそれぞれ取り除く必要がある。これら両ねじ６０を取り除くためには電池３０を電池収容部４０から取り出す必要があり、この取り出し作業により電池側コネクタ３２および基板側コネクタ２４の接続が解除されて主制御回路２１への電力供給が停止される。すなわち、裏側ケース１１ａと表側ケース１１ｂとを分離して筐体１１を開封する場合には、主制御回路２１への電力供給が停止されることとなる。
【００２４】
次に、バーコードリーダ１０の不正開封検知処理に関する電気的構成について、図３を用いて説明する。
図３に示すように、制御基板２０には、主に、主制御回路２１と、ねじ６０の締結状態を検知可能な締結状態検知回路２２と、個人情報等の所定の情報が記憶される記憶装置２５に対してその所定の情報を消去可能な消去用制御回路２３とが配置されている。そして、各回路２１〜２３には、電池３０から所定の電力が供給されている。
【００２５】
主制御回路２１は、操作キー１２等の操作に応じて外部の情報を取得しこの取得情報を制御して記憶装置２５に記憶する情報処理に関する機能を有する。また、主制御回路２１は、筐体１１が不正開封されたか否かを検知するとともに不正開封時には記憶装置２５に記憶される取得情報を消去する不正開封検知処理に関する機能を有する。
【００２６】
締結状態検知回路２２は、導通部７０の抵抗値を検知し、この導通部７０の抵抗値が締結時抵抗値Ｒより大きく設定される所定の閾値Ｒｔを超えるとねじ６０が被締結部１３から取り外された非締結状態であることを検知して非締結状態検知信号を主制御回路２１に出力する。
【００２７】
消去用制御回路２３は、主制御回路２１から出力される消去指示信号に基づいて、記憶装置２５に記憶される所定の情報の少なくとも一部を消去する。なお、記憶装置２５は、表側ケース１１ｂ内であって制御基板２０近傍に取り付けられている。
【００２８】
次に、主制御回路２１による不正開封検知処理について、図４のフローチャートを参照して説明する。図４は、第１実施形態における主制御回路２１による不正開封検知処理の流れを例示するフローチャートである。なお、以下の説明では、ねじ６０が被締結部１３から取り外されていない締結状態にて電力供給により主制御回路２１が作動する状態から説明する。
【００２９】
まず、図４のステップＳ１０１において、非締結状態であるか否かについて判定される。この判定処理では、締結状態検知回路２２から非締結状態検知信号が入力されている場合にねじ６０が被締結部１３から取り外された状態である非締結状態を検知する。この段階では、ねじ６０が被締結部１３から取り外されておらず、導通部７０の抵抗値が上記所定の閾値Ｒｔを超えていないことから締結状態検知回路２２から非締結状態検知信号が出力されないために、ステップＳ１０１にてＮｏと判定される。
【００３０】
次に、ステップＳ１０３において、フラグＦが０に設定される。このフラグＦは、後述する開封用操作が実施されたか否かを判定するためのフラグであり、フラグＦ＝０は、開封用操作が実施されていない状態を示し、フラグＦ＝１は、開封用操作が実施された状態を示す。
【００３１】
次に、ステップＳ１０５において、開封用操作が実施されたか否かについて判定される。開封用操作とは、筐体１１の開封時に入力すべき入力情報として予め設定される各操作キー１２の操作であり、例えば、複数の操作キー１２のうち第１の操作キーを押動した状態で第２の操作キーを押動する操作が挙げられる。この開封用操作に関する情報は、予め記憶装置２５等に記憶されている。ここで、上記開封用操作が実施されていない場合には、ステップＳ１０５にてＮｏと判定される。
【００３２】
次に、ステップＳ１０９において、フラグ記憶処理がなされる。この記憶処理は現時点におけるフラグＦの状態が記憶装置２５に記憶される処理であり、現段階では、フラグＦ＝０に設定されているので、フラグＦ＝０が記憶装置２５に記憶される。
【００３３】
そして、ステップＳ１１１において、当該バーコードリーダ１０の電源がオフ状態であるか否かについて判定される。この判定処理では、所定の操作により当該バーコードリーダ１０の電源がオフ状態になり主制御回路２１への電力供給が停止されるまでＮｏと判定されて、上述したステップＳ１０５からの処理が繰り返される。
【００３４】
この繰り返し処理中に、不正開封者が筐体１１を不正に開封するために上記開封用操作を実施することなくバーコードリーダ１０の電源をオフ状態にすると、ステップＳ１１１にてＹｅｓと判定されて、主制御回路２１による不正開封検知処理が停止される。
【００３５】
このようにバーコードリーダ１０の電源がオフ状態になると、不正開封者は、筐体１１を開封するために、電池３０を電池収容部４０から取り出した後に両ねじ６０を被締結部１３から取り外す。そして、筐体１１を開封した後に、主制御回路２１を作動させて記憶装置２５に記憶された取得情報を不正に取り出すために、ねじ６０が被締結部１３から取り外されたままの状態で主制御回路２１に電力が供給されると、主制御回路２１による不正開封検知処理が上述したステップＳ１０１から再度開始される。
【００３６】
ねじ６０が被締結部１３から取り外されたままの状態であることから、締結状態検知回路２２から非締結状態検知信号が入力されるため、ステップＳ１０１にてＹｅｓと判定されると、ステップＳ１１３において、フラグＦ＝１であるか否かについて判定される。
【００３７】
上述したように開封用操作が実施されていないために、記憶装置２５にはフラグＦ＝０が記憶されていることから、ステップＳ１１３にてＮｏと判定され、ステップＳ１１５における情報消去処理がなされる。この処理では、消去指示信号が消去用制御回路２３に出力され、この消去用制御回路２３により記憶装置２５に記憶される全ての取得情報が消去される。なお、消去用制御回路２３は、消去指示信号に応じて記憶装置２５に記憶される全ての取得情報を消去することに限らず、一部の所定の取得情報のみ消去するようにしてもよい。
【００３８】
このように、電力供給開始後に非締結状態であり（Ｓ１０１でＹｅｓ）フラグＦ＝０である（Ｓ１１３でＮｏ）ことから、不正開封者による不正開封が検知される場合には、不正使用を防止するために記憶装置２５の取得情報を消去することができる。そして、上述したステップＳ１０３以降の処理が再びなされる。
【００３９】
一方、ステップＳ１０５において、正常な開封であり、正常開封者により上記開封用操作が実施されると（Ｓ１０５でＹｅｓ）、ステップＳ１０７にて開封用操作が実施された状態を示すフラグＦ＝１に設定され、ステップＳ１０９にてフラグＦ＝１が記憶装置２５に記憶される。そして、ステップＳ１１１におけるＮｏとの繰り返し判定中に、正常開封者が筐体１１を正常に開封するために当該バーコードリーダ１０の電源をオフ状態にすると、ステップＳ１１１にてＹｅｓと判定されて、主制御回路２１による不正開封検知処理が停止される。
【００４０】
このようにバーコードリーダ１０の電源がオフ状態になると、正常開封者は、筐体１１を開封するために、電池３０を電池収容部４０から取り出した後に両ねじ６０を被締結部１３から取り外す。そして、バーコードリーダ１０の保守や修理のために筐体１１が開封され、ねじ６０が被締結部１３から取り外されたままの状態で主制御回路２１に電力が供給されると、主制御回路２１による不正開封検知処理が上述したステップＳ１０１から再度開始される。
【００４１】
ねじ６０が被締結部１３から取り外されたままの状態であることから、締結状態検知回路２２から非締結状態検知信号が入力されるため、ステップＳ１０１にてＹｅｓと判定されると、ステップＳ１１３において、フラグＦ＝１であるか否かについて判定される。
【００４２】
上述したように開封用操作が実施されており、記憶装置２５にはフラグＦ＝１が記憶されていることから、ステップＳ１１３にてＹｅｓと判定されて、上記ステップＳ１１５における情報消去処理を行うことなく上述したステップＳ１０３以降の処理が再びなされる。このように、電力供給開始後に非締結状態であり（Ｓ１０１でＹｅｓ）フラグＦ＝１である（Ｓ１１３でＹｅｓ）ことから、正常開封者による正常開封が検知される場合には、筐体１１が開封された場合あっても記憶装置２５の取得情報が消去されることもない。
【００４３】
以上説明したように、本第１実施形態に係るバーコードリーダ１０では、裏側ケース１１ａおよび表側ケース１１ｂが締結用貫通孔４５ａを挿通するねじ６０等により締結されて筐体１１が構成され、この筐体１１内には、主制御回路２１、記憶装置２５や電池３０等が収容されている。また、主制御回路２１に所定の情報を入力するための複数の操作キー１２と、ねじ６０の締結状態または非締結状態をその抵抗値の変化で検知可能な導通部７０とが設けられている。そして、主制御回路２１への電力供給が開始されるとともに導通部７０の抵抗値に基づいて非締結状態が検知される場合であって、操作キー１２による開封用操作が実施されていない場合（フラグＦ＝０）には、記憶装置２５に記憶された取得情報が消去される。
【００４４】
これにより、主制御回路２１に電力供給が開始され、非締結状態が検知されることから筐体１１の開封が検知された場合に、開封用操作が実施されていないことから不正開封が検知されると、記憶装置２５に記憶される取得情報が消去される。
したがって、筐体１１の正常開封時には記憶装置２５に記憶される取得情報が消去されず、筐体１１の不正開封時のみ取得情報を消去することができる。
【００４５】
また、本実施形態に係るバーコードリーダ１０では、裏側ケース１１ａには電池３０を収容するための電池収容部４０が設けられている。そして、両ねじ６０が、収容した電池３０に覆われる電池収容部４０の底壁４５に形成される締結用貫通孔４５ａに挿通した状態で表側ケース１１ｂの被締結部１３に締結されることにより、裏側ケース１１ａおよび表側ケース１１ｂが組み付けられる。
【００４６】
これにより、筐体１１を開封する目的で締結用貫通孔４５ａを挿通するねじ６０を取り除くためには電池３０を電池収容部４０から取り出す必要があるから、この取り出し作業により電池側コネクタ３２および基板側コネクタ２４の接続が解除されて電池３０による主制御回路２１への電力の供給が停止されることとなる。このため、筐体１１を開封する場合には、主制御回路２１への電力の供給を確実に停止することができる。
【００４７】
［第２実施形態］
次に、本発明の情報端末装置をバーコードリーダに適用した第２実施形態について図５を参照して説明する。図５は、第２実施形態における主制御回路２１による不正開封検知処理の流れを例示するフローチャートである。
【００４８】
本第２実施形態に係るバーコードリーダ１０では、主制御回路２１による不正開封検知処理を図４に示すフローチャートに代えて図５に示すフローチャートに基づいて演算処理している点が、上記第１実施形態に係るバーコードリーダと異なる。
【００４９】
以下、本第２実施形態に係るバーコードリーダ１０の主制御回路２１による不正開封検知処理について、図５のフローチャートを参照して説明する。
上記第１実施形態と同様に、上記開封用操作が実施されたことによりステップＳ１０５にてＹｅｓと判定されてフラグＦ＝１に設定されると、ステップＳ２０１において、計時処理がなされる。この処理では、主制御回路２１が有するクロック装置等の計時装置（図略）によりフラグＦ＝１が設定されてからの経過時間ｔが計時される。
【００５０】
そして、ステップＳ２０３において経過時間ｔが所定時間ｔ０を経過したか否かについて判定される。ここで、開封用操作が実施された直後であり、経過時間ｔが所定時間ｔ０を経過していなければ（Ｓ２０３でＮｏ）、上述したステップＳ１０９以降の処理がなされる。なお、本第２実施形態では、上記所定時間ｔ０は、例えば、１分に設定されている。
【００５１】
一方、開封用操作が実施された後にバーコードリーダ１０の電源がオフ状態にならず（Ｓ１１１でＮｏ）ステップＳ１０５からの処理が繰り返される状態において、経過時間ｔが所定時間ｔ０を経過すると、ステップＳ２０３にてＹｅｓと判定されて、ステップＳ２０５にて開封用操作が実施されていない状態を示すフラグＦ＝０に設定され、上述したステップＳ１０９以降の処理がなされる。
【００５２】
このように、本第２実施形態では、主制御回路２１への電力供給が開始されるとともに非締結状態が検知される場合であって、第１実施形態と同様に開封用操作が実施されない場合、または、開封用操作が実施されても所定時間経過する前に主制御回路２１への電力が停止されない場合には、フラグＦ＝０に設定されるために記憶装置２５に記憶された取得情報が消去される。
【００５３】
これにより、不正開封時に上記開封用操作が偶然に実施された場合であっても、所定時間経過する前に電池３０を取り外す等の作業を行なうことにより主制御回路２１への電力供給が停止されない場合には、記憶装置２５に記憶された取得情報が消去される。したがって、筐体１１の不正開封時には確実に記憶装置２５に記憶される取得情報を消去することができる。
【００５４】
なお、本発明は上記各実施形態に限定されるものではなく、以下のように具体化してもよく、その場合でも、上記各実施形態と同等の作用・効果が得られる。
（１）締結用貫通孔４５ａは、底壁４５に形成されることに限らず、電池収容部４０に収容した電池３０に覆われる側壁４１、４２、４３、４４のいずれかに形成されてもよい。この場合、その締結用貫通孔４５ａを貫通するねじ６０等により裏側ケース１１ａおよび表側ケース１１ｂが組み付けられて筐体１１が構成される。このように構成しても、裏側ケース１１ａと表側ケース１１ｂとを分離して筐体１１を開封する場合には、上述のごとく、電池側コネクタ３２および基板側コネクタ２４の接続が解除されて、主制御回路２１への電力供給が確実に停止されることとなる。
【００５５】
（２）締結状態検知回路２２は、導通部７０の抵抗値に基づいてねじ６０の締結状態を検知することに限らず、例えば、ねじ６０が被締結部１３に締結されるときの締結力を検知可能な応力センサを被締結部１３に設けて、この応力センサからの出力信号に基づいてねじ６０の締結状態を検知してもよい。
【００５６】
（３）締結状態検知回路２２は、導通部７０の抵抗値を検知しこの導通部７０の抵抗値が締結時抵抗値Ｒを超えると非締結状態検知信号を主制御回路２１に出力することに限らず、単なる導通部７０の抵抗値を検知可能なセンサとして構成されてもよい。このとき、主制御回路２１は、ステップＳ１０１において、締結状態検知回路２２により検知される導通部７０の抵抗値が上記締結時抵抗値Ｒを超える場合に、非締結状態であるとして、Ｙｅｓと判定する。
【００５７】
（４）ステップＳ１０５にて判定される開封用操作は、第１の操作キーを押動した状態で第２の操作キーを押動する操作に限らず、例えば、第１の操作キーを押動した後第２の操作キーを押動する操作や、第１の操作キーを一定時間継続して押動する操作であってもよい。
【００５８】
（５）ステップＳ１０５にて判定される開封用操作に関する情報は、予め記憶装置２５等に記憶されることに限らず、例えば、操作キー１２による所定の操作に応じて新たに設定されてもよい。これにより、使用者が所望する操作を開封用操作として設定することができるので、正常開封時における開封用操作を良好に実施することができる。また、この開封用操作に関する情報に秘匿性を持たせることができる。
【図面の簡単な説明】
【００５９】
【図１】本第１実施形態に係るバーコードリーダの構成概要を示す図であり、図１（Ａ）は背面図、図１（Ｂ）は一部断面で示す側面図である。
【図２】締結用貫通孔を挿通したねじが被締結部に締結される締結状態の導通部を示す説明図である。
【図３】バーコードリーダの不正開封検知処理に関する電気的構成を示すブロック図である。
【図４】本第１実施形態における主制御回路による不正開封検知処理の流れを例示するフローチャートである。
【図５】本第２実施形態における主制御回路による不正開封検知処理の流れを例示するフローチャートである。
【符号の説明】
【００６０】
１０…バーコードリーダ（情報端末装置）
１１…筐体
１１ａ…裏側ケース（第１ケース）
１１ｂ…表側ケース（第２ケース）
１２…操作キー（入力手段，設定手段）
１３…被締結部
２１…主制御回路（制御手段，検知手段，設定手段）
２２…締結状態検知回路（検知手段）
２３…消去用制御回路
２５…記憶装置（記憶手段）
３０…メイン電池（電源手段）
４０…電池収容部（電源収容部）
４１〜４４…側壁
４５…底壁
４５ａ…締結用貫通孔
６０…ねじ（締結部材）
７０…導通部（検知手段）
【図１】
2010049320.tif 000003
【図２】
2010049320.tif 000004
【図３】
2010049320.tif 000005
【図４】
2010049320.tif 000006
【図５】
2010049320.tif 000007